【手続補正書】
【提出日】平成17年10月24日(2005.10.24)
【手続補正１】
【補正対象書類名】明細書
【補正対象項目名】特許請求の範囲
【補正方法】変更
【補正の内容】
【特許請求の範囲】
【請求項１】  同時進行するイベントのマルチシーンを記録した記録媒体から前記マルチシーンのデータを読み出して再生する装置において、
前記マルチシーンを記録した前記記録媒体から読み出したストリームを出力する読出手段と、
前記ストリームが入力され、マルチシーン番号に応じて前記ストリームのストリームＩＤを付け替えるストリームＩＤ付替手段と、
前記ストリームＩＤを付け替えたストリームからマルチシーンを再生する再生手段とを備えたことを特徴とするマルチシーン記録媒体の再生装置。
【請求項２】  同時進行するイベントのマルチシーンを記録した記録媒体から前記マルチシーンのデータを読み出して再生する装置において、
前記マルチシーンを記録した前記記録媒体から読み出したストリームを出力する読出手段と、
前記ストリームが入力され、マルチシーン番号に応じて前記ストリームに識別フラグを付加する識別フラグ付加手段と、
前記識別フラグを付加したストリームからマルチシーンを再生する再生手段とを備えたことを特徴とするマルチシーン記録媒体の再生装置。
【請求項３】  前記再生手段は、ＭＰＥＧフォーマットにより圧縮されたマルチシーンのストリームをデコードすることを特徴とする請求項１記載のマルチシーン記録媒体の再生装置。
【請求項４】  同時進行するイベントのマルチシーンを記録した記録媒体から前記マルチシーンのデータを読み出して再生する方法において、
読出手段により、前記マルチシーンを記録した前記記録媒体から読み出したストリームを出力するステップと、
前記ストリームが入力され、ストリームＩＤ付替手段によりマルチシーン番号に応じて前記ストリームのストリームＩＤを付け替えるステップと、
再生手段により、前記ストリームＩＤを付け替えたストリームからマルチシーンを再生するステップとを備えたことを特徴とするマルチシーン記録媒体の再生方法。
【請求項５】  同時進行するイベントのマルチシーンを記録した記録媒体から前記マルチシーンのデータを読み出して再生する方法において、
読出手段により、前記マルチシーンを記録した前記記録媒体から読み出したストリームを出力するステップと、
前記ストリームが入力され、識別フラグ付加手段によりマルチシーン番号に応じて前記ストリームに識別フラグを付加するステップと、
再生手段により、前記識別フラグを付加したストリームからマルチシーンを再生するステップとを備えたことを特徴とするマルチシーン記録媒体の再生方法。
【手続補正２】
【補正対象書類名】明細書
【補正対象項目名】００１４
【補正方法】変更
【補正の内容】
【００１４】
また、上記課題を解決するために、本発明のマルチシーン記録媒体の再生装置は、同時進行するイベントのマルチシーンを記録した記録媒体から前記マルチシーンのデータを読み出して再生する装置において、前記マルチシーンを記録した前記記録媒体から読み出したストリームを出力する読出手段と、前記ストリームが入力され、マルチシーン番号に応じて前記ストリームに識別フラグを付加する識別フラグ付加手段と、前記識別フラグを付加したストリームからマルチシーンを再生する再生手段とを備えたことを特徴とする。
【手続補正３】
【補正対象書類名】明細書
【補正対象項目名】００１６
【補正方法】変更
【補正の内容】
【００１６】
また、上記課題を解決するために、本発明のマルチシーン記録媒体の再生方法は、同時進行するイベントのマルチシーンを記録した記録媒体から前記マルチシーンのデータを読み出して再生する方法において、読出手段により、前記マルチシーンを記録した前記記録媒体から読み出したストリームを出力するステップと、前記ストリームが入力され、識別フラグ付加手段によりマルチシーン番号に応じて前記ストリームに識別フラグを付加するステップと、再生手段により、前記識別フラグを付加したストリームからマルチシーンを再生するステップとを備えたことを特徴とする。
【手続補正４】
【補正対象書類名】明細書
【補正対象項目名】００３０
【補正方法】変更
【補正の内容】
【００３０】
図１５に示す様に１本のストリ−ムは、映像・音声・その他のパックの集合体になっている。また映像自体も沢山のパックから構成されている。１パックの大きさは２０４８バイトになっている。各パックの先頭は、４バイトのPack＿Start＿Code、すなわち000001BAhで始まる。この値は映像をはじめ、音声やその他のパックでも同じ値であり、この値によりパックの先頭位置が把握出来る。
【手続補正５】
【補正対象書類名】明細書
【補正対象項目名】００３１
【補正方法】変更
【補正の内容】
【００３１】
パック先頭検出回路２０１は、このPack＿Start＿Codeの値である000001BAhを検出している。パックの先頭には、パックヘッダーが１４バイト存在し、続いてパケットヘッダーが存在する。パケットヘッダーの先頭は、３バイトのPacket＿Start＿Code＿Prefix、すなわち000001hがあり、その後に１バイトのストリームＩＤが続く。このストリームＩＤの値は、映像や音声やその他のパックによって異なるので、映像パックだけを選び出すことが出来る。
【手続補正６】
【補正対象書類名】明細書
【補正対象項目名】００４０
【補正方法】変更
【補正の内容】
【００４０】
図３において、識別フラグ付加回路３０１は、入力されたマルチシーンのストリーム（ストリームＩＤはいずれも“Ｅ０”）をアングル番号に応じて識別フラグを付加し、複数の識別フラグ認識機能付ＭＰＥＧデコーダ３０２へ出力する。この識別フラグ認識機能付ＭＰＥＧデコーダ３０２は、第１の実施の形態と比較し、識別フラグを認識することができる機能を有している点が異なる。各ＭＰＥＧデコーダはそれぞれ異なる識別フラグの映像信号を再生することにより、複数のアングルを同時に再生することが出来る。
【手続補正７】
【補正対象書類名】明細書
【補正対象項目名】００４４
【補正方法】変更
【補正の内容】
【００４４】
映像パックは前述の様にストリームＩＤがＥ０のパックとして検出することが出来る。パケットヘッダーは、３バイトのPacket＿Start＿Code＿Prefixに続き、１バイトのストリームＩＤが続く。その後にパケット長や各種のフラグが５バイトほど続き、オプション領域が来る。オプション領域は、図１５の点線で囲った領域で、先程の各種フラグで指定した項目が存在する。通常、ＰＴＳ，ＤＴＳに続き、前述のフラグで指定した各種データが続き、User＿DATA領域となる。この領域にユーザーが決めたフラグ類を置くことが出来る。例えば、このような領域にサブストリームＩＤの様な識別フラグを入れてストリームを送り出せば良い。
【手続補正８】
【補正対象書類名】明細書
【補正対象項目名】００４６
【補正方法】変更
【補正の内容】
【００４６】
パック先頭検出回路４０１は、Pack＿Start＿Codeの値である000001BAhを検出している。
【手続補正９】
【補正対象書類名】明細書
【補正対象項目名】００４７
【補正方法】変更
【補正の内容】
【００４７】
映像パック検出回路４０２は、パック先頭検出回路４０１からパックの先頭を示すパック先頭情報が入力されると、このパックが映像パックか否か検出し、映像パックのときには映像パック検出情報を出力する。
【手続補正１０】
【補正対象書類名】明細書
【補正対象項目名】００４８
【補正方法】変更
【補正の内容】
【００４８】
オプション領域Substream＿ID付加回路４０３は、ピックアップ制御回路から得たアングル番号情報により、例えばアングル番号１のパックなら００、アングル番号２のパックなら０１、アングル番号３のパックなら０２のサブストリームＩＤをオプション領域に挿入する。
【手続補正１１】
【補正対象書類名】明細書
【補正対象項目名】００６０
【補正方法】変更
【補正の内容】
【００６０】
図７では、ＭＰＥＧデコーダの前にＤＥＭＵＸ回路７０１を配置し、マルチシーンの各シーンのデータに合わせて、それぞれDATA＿VALID信号を作成し、各ＭＰＥＧデコーダにストリームと同時に供給する様にした。
【手続補正１２】
【補正対象書類名】明細書
【補正対象項目名】００８１
【補正方法】変更
【補正の内容】
【００８１】
次にステップ１２０８では、アングル番号が１ならオプション領域に００に、アングル番号が２なら０１に、アングル番号が３なら０２を追加する。次にステップ１２０９にて読み込んだ値と追加したオプション領域の２Ｂｙｔｅを出力しステップ１２０１へ戻る。
【手続補正１３】
【補正対象書類名】明細書
【補正対象項目名】符号の説明
【補正方法】変更
【補正の内容】
【符号の説明】
１０１…ストリームＩＤ付け替え回路、１０２，５０２，７０２…ＭＰＥＧデコーダ、２０１，４０１…パック先頭検出回路、２０２，４０２…映像パック検出回路、２０３…ストリームＩＤ処理回路、３０１…識別フラグ付加回路、３０２…識別フラグ認識機能付ＭＰＥＧデコーダ、４０３…オプション領域Substream＿ID付加回路、５０１，７０１…ＤＥＭＵＸ回路、１００１…ＣＰＵ。
【手続補正１４】
【補正対象書類名】図面
【補正対象項目名】図１２
【補正方法】変更
【補正の内容】
【図１２】
2001223991.tif 000001